(57)【要約】    【課題】  無線通信が行われていることを離れた場所からでも視認可能とし、使用者に安心感を持たせることを可能としたデータ処理装置、撮像装置、無線通信システム、制御方法、及びプログラムを提供する。    【解決手段】  デジタルカメラ１は、ＣＰＵ１０１、電源制御部１０８、無線通信部１１１を備える。プリンタ３は、ＣＰＵ３０１、無線通信部３１１、ケーブル２が収納及び引き出し可能なケーブル部３１３を備える。プリンタ３のＣＰＵ３０１は、ケーブル２がプリンタ３から引き出されたことを検出スイッチ３１４により検出した場合は、無線通信可能状態に設定し、ケーブル２がプリンタ３に収納されたことを検出スイッチ３１４により検出した場合は、無線通信不可状態に設定する。また、プリンタ３のＣＰＵ３０１は、デジタルカメラ１からの信号受信時は、ＬＥＤ４ａ→４ｂ→４ｃの順番に点灯させ、信号送信時は、ＬＥＤ４ｃ→４ｂ→４ａの順番に点灯させる。【選択図】      図４
2006236076.tif 000002
【特許請求の範囲】
【請求項１】
撮像装置と無線通信を行う無線通信手段と、
発光手段が付設され、無線通信可能状態と無線通信不可状態を切り替える切替手段と、
前記切替手段により前記無線通信可能状態に切り替えられた場合で、前記無線通信手段により前記撮像装置との無線通信時には、前記切替手段の前記発光手段を発光させる制御手段と、
を備えることを特徴とするデータ処理装置。
【請求項２】
前記切替手段の状態を検出する検出手段を更に備え、
前記切替手段は、前記データ処理装置に対して収納及び引き出し可能に構成され、
前記制御手段は、前記切替手段が前記データ処理装置から引き出されたことを前記検出手段により検出した場合は、前記無線通信可能状態に設定し、前記切替手段が前記データ処理装置に収納されたことを前記検出手段により検出した場合は、前記無線通信不可状態に設定することを特徴とする請求項１記載のデータ処理装置。
【請求項３】
前記切替手段の状態を検出する検出手段を更に備え、
前記切替手段は、前記データ処理装置に対して収納及び引き起こし可能に構成され、
前記制御手段は、前記切替手段が前記データ処理装置から引き起こされたことを前記検出手段により検出した場合は、前記無線通信可能状態に設定し、前記切替手段が前記データ処理装置に収納されたことを前記検出手段により検出した場合は、前記無線通信不可状態に設定することを特徴とする請求項１記載のデータ処理装置。
【請求項４】
前記切替手段は、前記発光手段を長手方向に複数配設したケーブルとして構成され、
前記制御手段は、前記撮像装置からのデータ受信時は、前記ケーブルの先端側の前記発光手段から前記ケーブルの基端側の前記発光手段に向けて順番に発光させ、前記撮像装置へのデータ送信時は、前記ケーブルの基端側の前記発光手段から前記ケーブルの先端側の前記発光手段に向けて順番に発光させることを特徴とする請求項１乃至３の何れかに記載のデータ処理装置。
【請求項５】
前記制御手段は、前記データ処理装置及び前記撮像装置間の無線通信に関わる所定の状況、前記データ処理装置及び前記撮像装置それぞれに関わる所定の状況が発生した場合は、複数の前記発光手段を一斉に発光させることを特徴とする請求項４記載のデータ処理装置。
【請求項６】
前記データ処理装置は、前記撮像装置から送信される画像データを印刷する印刷装置、前記撮像装置から送信される画像データを保存するデータ保存装置を含む群から選択されることを特徴とする請求項１乃至５の何れかに記載のデータ処理装置。
【請求項７】
電源を設定時間経過後に切断するオートパワーオフ機能を有する電源制御手段と、
データ処理装置と無線通信を行う無線通信手段と、
前記無線通信手段により前記データ処理装置と無線通信中の場合は、前記オートパワーオフ機能を無効に設定し、前記データ処理装置と無線通信が終了した場合は、前記オートパワーオフ機能を有効に設定する設定手段と、
を備えることを特徴とする撮像装置。
【請求項８】
前記請求項１乃至６の何れかに記載のデータ処理装置と、前記請求項７記載の撮像装置とが所定の無線データ伝送方式によりデータ通信を行うことを特徴とする無線通信システム。
【請求項９】
発光手段が付設され無線通信可能状態と無線通信不可状態を切り替える切替手段を備えたデータ処理装置の制御方法であって、
撮像装置と無線通信を行う無線通信ステップと、
前記切替手段により前記無線通信可能状態に切り替えられた場合で、前記無線通信ステップにより前記撮像装置との無線通信時には、前記切替手段の前記発光手段を発光させる制御ステップと、
を備えることを特徴とする制御方法。
【請求項１０】
電源を設定時間経過後に切断するオートパワーオフ機能を有する撮像装置の制御方法であって、
データ処理装置と無線通信を行う無線通信ステップと、
前記無線通信ステップにより前記データ処理装置と無線通信中の場合は、前記オートパワーオフ機能を無効に設定し、前記データ処理装置と無線通信が終了した場合は、前記オートパワーオフ機能を有効に設定する設定ステップと、
を備えることを特徴とする制御方法。
【請求項１１】
発光手段が付設され無線通信可能状態と無線通信不可状態を切り替える切替手段を備えたデータ処理装置の制御方法をコンピュータに実行させるプログラムであって、
撮像装置と無線通信を行う無線通信モジュールと、
前記切替手段により前記無線通信可能状態に切り替えられた場合で、前記無線通信モジュールにより前記撮像装置との無線通信時には、前記切替手段の前記発光手段を発光させる制御モジュールと、
を備えることを特徴とするプログラム。
【請求項１２】
電源を設定時間経過後に切断するオートパワーオフ機能を有する撮像装置の制御方法をコンピュータに実行させるプログラムであって、
データ処理装置と無線通信を行う無線通信モジュールと、
前記無線通信モジュールにより前記データ処理装置と無線通信中の場合は、前記オートパワーオフ機能を無効に設定し、前記データ処理装置と無線通信が終了した場合は、前記オートパワーオフ機能を有効に設定する設定モジュールと、
を備えることを特徴とするプログラム。
【発明の詳細な説明】
【技術分野】
【０００１】
本発明は、撮像装置とデータ処理装置との間で無線によりデータの送受信を行う場合に適用されるデータ処理装置、撮像装置、無線通信システム、制御方法、及びプログラムに関する。
【背景技術】
【０００２】
近年、コンピュータ技術や通信技術の発展には著しいものがあり、特に、IEEE802.11b、Bluetooth(R)等の無線通信技術の発展が著しい。また、この種の無線通信技術に対応した家電製品や、印刷装置・画像入力装置・デジタルカメラ等の情報機器等も普及しつつある。
【０００３】
他方、無線通信技術のデジタルカメラへの応用例が提案されている（例えば、特許文献１参照）。該提案は、撮影機能部と画像データを含む通信データを無線通信する送受信機能部を備えるカメラとの間で前記通信データの送受信を可能とする送受信部と、受信した画像データに基づいて画像を記録紙に印刷する印刷手段とを備えた印刷装置に関する。送受信部は、装置本体に対して可動に支持され、通信データを送受信する方向を自在に変更可能となっている。これによれば、IrDA（Infrared Data Association）通信において方向指向性の無線通信を常に容易に行うことができる印刷装置を提供するというものである。
【特許文献１】特開２０００−１７７２１３号公報
【発明の開示】
【発明が解決しようとする課題】
【０００４】
従来の無線を利用した通信においては、通信を行う双方の機器が交互にデータをやり取りするなど、双方向通信が一般的であった。しかしながら、例えばデジタルカメラが外部装置と通信を行う際の通信形態は、デジタルカメラで撮像して得た画像データを外部装置に転送する等の、もっぱらデジタルカメラ側から画像データを送信する一方向の通信の場合が多い。従って、デジタルカメラから外部装置への画像データ通信を終了した状態では、通信先の外部装置の状態に関わらずデジタルカメラの動作状態を変えることが可能であり、例えば電源をオフすることもできる。
【０００５】
また、画像データは一般に大容量であることが多いため、無線を利用した通信においては通信時間が長くなることが多い。更に、この通信時間は、画像データの容量により変化するから、容易には推定できない。また、画像データの転送中にデジタルカメラの電源がオフされると、画像データ転送はその段階で終了してしまい、正常に画像データ転送ができない。従って、画像データの転送中はデジタルカメラの電源を自動的にオフすることができない。
【０００６】
このため、通常、デジタルカメラから外部装置に無線で画像データ転送を行う場合、使用者は通信開始の指示を出してからしばらく放置し、画像データ転送の終了を確認した後、次の操作を行ったり、デジタルカメラの電源をオフしたりすることが必要であった。しかし、デジタルカメラや外部装置の表示部に表示される通信状態を見ないと、画像データ転送の終了を確認できないので、使用者はデジタルカメラや外部装置から離れることができず非常に煩わしかった。
【０００７】
また、無線通信は、有線通信のようなケーブル類の接続が不要であるため便利であるが、その反面、データが相手先に確実に送信されているのかという不安が生じたり、通信状態を目視できないために精神的にどうしても安心できないということがあった。
【０００８】
また、上記特開2000-177213号公報記載の提案では、デジタルカメラ及び印刷装置の送受信部が指向性が強い場合には使用者の意図によって両方の送受信部同士を対向させることができるが、送受信部がIEEE802.11b、Bluetooth(R)等の無指向性の場合には意味が無い。また、送受信部が無指向性の場合には逆にどこからでもデータの無線送信が可能なため、かえって不安が募るという場合が多く、精神的に安心できないということがあった。
【０００９】
本発明の目的は、無線通信が行われていることを離れた場所からでも視認可能とし、使用者に安心感を持たせることを可能としたデータ処理装置、撮像装置、無線通信システム、制御方法、及びプログラムを提供することにある。
【課題を解決するための手段】
【００１０】
上述の目的を達成するために、本発明のデータ処理装置は、撮像装置と無線通信を行う無線通信手段と、発光手段が付設され、無線通信可能状態と無線通信不可状態を切り替える切替手段と、前記切替手段により前記無線通信可能状態に切り替えられた場合で、前記無線通信手段により前記撮像装置との無線通信時には、前記切替手段の前記発光手段を発光させる制御手段と、を備えることを特徴とする。
【００１１】
上述の目的を達成するために、本発明の撮像装置は、電源を設定時間経過後に切断するオートパワーオフ機能を有する電源制御手段と、データ処理装置と無線通信を行う無線通信手段と、前記無線通信手段により前記データ処理装置と無線通信中の場合は、前記オートパワーオフ機能を無効に設定し、前記データ処理装置と無線通信が終了した場合は、前記オートパワーオフ機能を有効に設定する設定手段と、を備えることを特徴とする。
【発明の効果】
【００１２】
本発明によれば、データ処理装置が撮像装置との無線通信時には、発光手段を発光させるため、無線通信が行われていることをデータ処理装置から離れた場所からでも視認可能であり、使用者にとって安心感が生ずるという効果がある。
【００１３】
また、切替手段がデータ処理装置から引き出された場合或いは引き起こされた場合は無線通信可能状態に設定し、切替手段がデータ処理装置に収納された場合は無線通信不可状態に設定するため、難しい設定が一切無く、有線通信の感覚を持って無線通信の接続を行うことができ、利便性に優れるという効果がある。
【００１４】
また、データ受信時は、ケーブル先端側から基端側の発光手段に向けて順番に発光させ、データ送信時は、ケーブル基端側から先端側の発光手段に向けて順番に発光させるため、無線通信が行われていることをデータ処理装置から離れた場所からでも視認可能であり、使用者にとって安心感が大きくなるという効果がある。
【００１５】
また、無線通信やデータ処理装置及び撮像装置それぞれに関わる所定の状況が発生した場合は、複数の発光手段を一斉に発光させるため、データ処理装置から離れた場所からでも所定の状況の発生を簡単に視認できるという効果がある。
【００１６】
また、無線通信中の場合はオートパワーオフ機能を無効に設定し、無線通信が終了した場合はオートパワーオフ機能を有効に設定するため、無線通信中にオートパワーオフ機能が作動して撮像装置の電源が切断されることを防止できる。
【発明を実施するための最良の形態】
【００１７】
以下、本発明の実施の形態を図面に基づき説明する。
【００１８】
最初に、本発明の実施の形態で説明する各種無線通信方式の標準化が推進されているものの中で代表的なものについて説明する。
【００１９】
電磁波を利用して無線でパケット化されたデータの送受信を行う方式の標準化の一例を以下に挙げる。IEEE標準委員会では、IEEE std802.11という名称で無線ＬＡＮの物理層及びメディアアクセス制御層（以下ＭＡＣ層と略記する）を標準化しており、更にIEEE std802.11b及びIEEE std802.11ａという名称でより高速な物理層及びＭＡＣ層を標準化している。ここで、IEEE std802.11では、電磁波だけでなく赤外線の利用も含めている。これに対し、IEEE std802.11b及びIEEE std802.11ａは、現在のところ電磁波のみである。また、IEEE std802.11及びIEEE std802.11bで使用する電磁波の周波数帯域は、利用者が免許取得を不要とする2.4GHz（ギガヘルツ）帯である。
【００２０】
IEEE std802.11では、通信速度は1Mbit／秒（メガビット毎秒）乃至2Mbit／秒であるが、IEEE std802.11bでは、前記通信速度の他に5.5Mbit／秒及び11Mbit／秒の通信速度が加えられている。IEEE std802.11ａでは、使用する電磁波の周波数帯域が異なるものの、6Mbit／秒から54Mbit／秒の通信速度が規定されている。IEEEstd802.11b準拠の製品の通信距離は、11Mbpsで30ｍ程度であるが、通信速度を下げればより長距離の通信が可能である。
【００２１】
電磁波を使う無線通信方式は、IEEE std802.11では、直接拡散方式（ＤＳ（Direct Sequence）方式）及び周波数ホッピング方式（ＦＨ（Frequency Hopping）方式）の両方を採用している。IEEE std802.11bでは、ＤＳ方式を採用している。IEEE std802.11aでは、ＯＦＤＭ（Orthogonal Frequency Division Multiplexing）という方式を採用している。
【００２２】
2.4GHz帯を使用する無線通信方式で最近注目されているものとして、他にBluetooth(R)がある。Bluetooth(R)は、現状の規格では通信速度が1Mbpsで通信距離も10ｍ程度であり、IEEE802.11bよりも低速で通信距離が短く、携帯電話機とヘッドセット間の通信や、携帯型ＰＣと携帯電話機間の通信等の、手近なアプリケーションを想定して規格化されたものである。IEEE802.11bがＤＳ方式を採用しているのに対して、Bluetooth(R)はＦＨ方式を採用している。
【００２３】
Bluetooth(R)では、物理層やリンク層の規格のほか、各アプリケーションを想定して各アプリケーション毎にプロトコルスタックの実装方法を規定するプロファイルと呼ばれる仕様を定めている。これらのプロファイルには、現在開発中のものも含め、ヘッドセット・プロファイル、ダイヤルアップ・ネットワーキング・プロファイル、ファイル転送プロファイル、プリンティング・プロファイル等、種々の仕様が定められつつある。
【００２４】
これらのプロファイルは、ヘッドセットに音声データを出力するためのアプリケーション、ダイヤルアップを行うためのアプリケーション、ファイル転送を行うアプリケーション、プリンティングを行うアプリケーション等、各アプリケーション毎に定められるものである。通信を行う双方の機器がアプリケーションに該当するプロファイルに従っていなければならない。
【００２５】
例えば、Bluetooth(R)を利用してデジタルカメラから情報端末装置にファイル転送を行うためには、デジタルカメラと情報端末装置には共にBluetooth(R)の規格に従った物理層や上位層を実装すると共に、上記ファイル転送プロファイルに従っていなければならない。また、Bluetooth(R)を利用してデジタルカメラからプリンタにプリント出力を行うためには、デジタルカメラとプリンタには共にBluetooth(R)の規格に従った物理層や上位層を実装すると共に、上記プリンティング・プロファイルに従っていなければならない。
【００２６】
［第１の実施の形態］
図１は、本発明の第１の実施の形態に係る撮像装置としてのデジタルカメラとデータ処理装置としてのプリンタとの間で無線通信を行っている状態を示す概略図である。
【００２７】
図１において、デジタルカメラ１は、撮像して得た画像データを無線通信によりプリンタ３へ送信可能に構成されている。プリンタ３は、ケーブル２を備えており、デジタルカメラ１から送信された画像データを印刷可能に構成されている。ケーブル２は、中空のケーブル材料内部に発光体としてＬＥＤ（Light Emitting Diode）４ａ、４ｂ、４ｃを備えている。ＬＥＤ４ａ、４ｂ、４ｃは、ケーブル２の長手方向の先端側から基端側（プリンタ側）に所定間隔をおいて配設されている。ＬＥＤ４ａ、４ｂ、４ｃは、それぞれ、例えば緑と赤の２色ＬＥＤとして構成されており、プリンタ３のＣＰＵ（後述）により個別に点灯（点滅）／消灯が制御される。
【００２８】
図２は、デジタルカメラ１の構成を示すブロック図である。
【００２９】
図２において、デジタルカメラ１は、ＣＰＵ１０１、ＲＯＭ部１０２、ＲＡＭ部１０３、タイマ１０４、撮像部１０５、スイッチ部１０６、表示部１０７、電源制御部１０８、電源１０９、ＤＭＡＣ（Direct Memory Access Controller）１１０、無線通信部１１１、内部バス１１２、画像メモリ部１１３を備えている。
【００３０】
ＣＰＵ１０１は、撮像部１０５、無線通信部１１１等のデジタルカメラ各部を制御する中央制御装置であり、必要に応じて、データ変換等のデータ処理を行う機能も有する。また、ＣＰＵ１０１は、プログラム命令コードに基づき図８及び図９のフローチャートに示す処理を実行する。ＲＯＭ部１０２は、ＣＰＵ１０１が読み出すプログラム命令コード等を格納しているメモリである。ＲＡＭ部１０３は、ＣＰＵ１０１が必要に応じてデータの書き込みや読み出しを行うためのメモリである。タイマ１０４は、ＣＰＵ１０１の制御に基づき計時を開始し、設定された時間の経過をＣＰＵ１０１に通知する。
【００３１】
撮像部１０５は、被写体の光学像を画像信号に変換する等の撮像動作を行う。画像メモリ部１１３は、撮像した画像データを記憶するものであり、デジタルカメラ内蔵のフラッシュＲＯＭ、或いはデジタルカメラに着脱可能なメモリカード、或いは磁気記録媒体等として構成される。スイッチ部１０６は、電源スイッチ及び各種スイッチ（図７）から構成される。スイッチ部１０６が押下された場合は押下を示す情報がＣＰＵ１０１に通知される。もしくは、ＣＰＵ１０１が定期的にスイッチ部１０６の状態を監視するように構成してもよい。表示部１０７は、ＣＰＵ１０１の制御に基づき表示を行うＬＥＤ、ＬＣＤ（Liquid Crystal Display）、液晶パネル、デジタルカメラの各種操作機能を含む液晶タッチパネルディスプレイ等から構成される。
【００３２】
電源制御部１０８は、ＣＰＵ１０１の制御に基づき動作し、後述の図８及び図９のフローチャートに示す手順に基づき電源部１０９の出力を制御する。電源部１０９は、例えば電池やＡＣ１００Ｖ入力を所望のＤＣ電圧に変換するＡＣアダプタ等から構成され、デジタルカメラ各部に電源を供給する。ＤＭＡＣ１１０は、無線通信部１１１の後述のＭＡＣ層制御部２０１内のメモリ（不図示）に対し、ＲＡＭ部１０３や画像メモリ部１１３から撮像データ等を転送する際等に使用され、データ処理部、通信処理部の機能をそれぞれ担うものである。内部バス１１２は、ＣＰＵ１０１と各部を接続する伝送路である。
【００３３】
図３は、デジタルカメラ１の無線通信部１１１の構成を示すブロック図である。
【００３４】
図３において、無線通信部１１１は、ＭＡＣ層制御部２０１、ベースバンド処理部２０２、ＩＦ（Intermediate Frequency）のＩ／Ｑ（In phase/Quadrature）モデム部２０３、ＲＦ／ＩＦ変換部２０４、ＲＦ送受信部２０５を備えている。なお、プリンタ３の無線通信部の構成も図３と基本的に同様であり、図示及び説明は省略する。
【００３５】
ＭＡＣ層制御部２０１は、IEEE std802.11bに従って動作するものであり、無線で送受信するフレームの組み立て／分解、制御フレームの生成、無線通信チャネルの獲得制御、通信速度の制御等を司る。ＭＡＣ層制御部２０１は、内部バス１１２と接続されている。ベースバンド処理部２０２は、フレームの変復調、符号化／復号化、アナログ／デジタル変換等を行う。ＩＦのＩ／Ｑモデム部２０３は、送信用ＩＦ信号及び受信用ＩＦ信号のフィルタリング、４相位相変調／復調等を行う。
【００３６】
ＲＦ／ＩＦ変換部２０４は、ＩＦのＩ／Ｑモデム部２０３から出力されるＩＦ信号を入力してＲＦ（Radio Frequency）信号に変換し、更にＲＦ信号をＲＦ送受信部２０５に出力し、ＲＦ信号をＲＦ送受信部２０５を介してアンテナ２０６から出力させる。ＲＦ／ＩＦ変換部２０４は、逆にアンテナ２０６により受信したＲＦ信号がＲＦ送受信部２０５を介して入力された場合に、ＲＦ信号をＩＦ信号に変換し、ＩＦ信号をＩ／Ｑモデム部２０３に出力する。ＲＦ送受信部２０５は、ＲＦ信号の増幅、ＭＡＣ層制御部２０１の指示に基づき送信／受信の切り替え等を行う。
【００３７】
アンテナ２０６は、ＲＦ送受信部２０５の出力信号を電磁波として出力したり、受信した電磁波をＲＦ信号である電気信号に変換したりするためのものである。ベースバンド処理部２０２乃至アンテナ２０６まではIEEE std802.11b準拠の物理層を形成するためのものである。ＭＡＣ層制御部２０１乃至アンテナ２０６が通信処理部として動作することで、デジタルカメラ外部と各種コマンドを含むデータの送受信が行われる。
【００３８】
図４は、プリンタ３の構成を示すブロック図である。
【００３９】
図４において、プリンタ３は、ＣＰＵ３０１、ＲＯＭ部３０２、ＲＡＭ部３０３、タイマ３０４、プリントエンジン部３０５、スイッチ部３０６、表示部３０７、電源制御部３０８、電源３０９、ＤＭＡＣ３１０、無線通信部３１１、内部バス３１２、ケーブル部３１３を備えている。
【００４０】
ＣＰＵ３０１は、プリントエンジン部３０５、無線通信部３１１等のプリンタ各部を制御する中央制御装置であり、必要に応じて、データ変換等のデータ処理を行う機能も有する。また、ＣＰＵ３０１は、プログラム命令コードに基づき図１０及び図１１のフローチャートに示す処理を実行する。ＲＯＭ部３０２は、ＣＰＵ３０１が読み出すプログラム命令コード等を格納しているメモリである。ＲＡＭ部３０３は、ＣＰＵ３０１が必要に応じてデータの書き込みや読み出しを行うためのメモリである。タイマ３０４は、ＣＰＵ３０１の制御に基づき計時を開始し、設定された時間の経過をＣＰＵ３０１に通知する。
【００４１】
プリントエンジン部３０５は、例えば昇華型熱転写方式により印刷動作を行う。スイッチ部３０６は、電源スイッチ等を含む。スイッチ部３０６が押下された場合は押下を示す情報がＣＰＵ３０１に通知される。もしくは、ＣＰＵ３０１が定期的にスイッチ部３０６の状態を監視するように構成してもよい。表示部３０７は、ＣＰＵ３０１の制御に基づき各種表示を行う。
【００４２】
電源制御部３０８は、ＣＰＵ３０１の制御に基づき動作し、電源部３０９の出力を制御する。電源部３０９は、例えば電池やＡＣ１００Ｖ入力を所望のＤＣ電圧に変換するＡＣアダプタ等から構成され、プリンタ各部に電源を供給する。ＤＭＡＣ３１０は、デジタルカメラ１の無線通信部１１１のＭＡＣ層制御部２０１内のメモリ（不図示）から受信したフレームを分解して格納された印刷データ等をＲＡＭ部３０３へ転送する際等に使用され、データ処理部、通信処理部の機能をそれぞれ担うものである。内部バス３１２は、ＣＰＵ１０１と各部を接続する伝送路である。
【００４３】
ケーブル部３１３は、通常時（非無線通信時）はケーブル２をケーブル部３１３の内部に巻き取った状態で収納し、無線通信時にはプリンタ３の筐体外部にケーブル２を引き出すことができるように構成されている。ケーブル部３１３は、ケーブル２の引き出しを検出する検出スイッチ３１４、ラチェット機構（不図示）を備えている。使用者によりケーブル部３１３からケーブル２が引き出されると、ＣＰＵ３０１は、検出スイッチ３１４から出力されるオン信号（ケーブル引き出し信号）に基づき無線通信を可能に設定する。
【００４４】
ケーブル２は、ケーブル部３１３から引き出された位置でラチェット機構により固定することが可能となっている。プリンタ３においてデジタルカメラ１との無線通信を止める場合は、ケーブル２をケーブル部３１３から更に少しだけ引き出してラチェット機構を解除し、ケーブル２をケーブル部３１３内に巻き取ることで収納する。ケーブル部３１３内にケーブル２が収納されると、ＣＰＵ３０１は、検出スイッチ３１４から出力されるオフ信号（ケーブル収納信号）に基づき無線通信を解除するように設定する。
【００４５】
即ち、ケーブル２は、プリンタ３とデジタルカメラ１との間を無線通信可能状態とする設定と、プリンタ３とデジタルカメラ１との間を無線通信不可状態（無線通信可能状態を解除した状態）とする設定とを切り替える、無線通信のスイッチ機能を有するものである。
【００４６】
図５は、デジタルカメラ１及びプリンタ３から構成される無線通信システムとしてのプリントシステムを示す概略図である。
【００４７】
図５において、プリントシステムは、デジタルカメラ１及びプリンタ３を所定の無線データ伝送方式の無線通信を介して相互に接続することで（図示の矢印）、デジタルカメラ１からプリンタ３に対して画像データを送信しプリント出力させることが可能に構成されている。
【００４８】
図６は、デジタルカメラ１及びプリンタ３に適用されるデータ処理の階層構造例を示す図である。
【００４９】
図６において、データ処理の階層構造例としてBluetoothの階層構造を説明する。アプリケーション・レイヤ５０１は、装置や機能によって異なる。ＡＰＩ（Application Interface）５０２は、アプリケーション・レイヤ５０１とＲＦＣＯＭＭ５０４等との橋渡しをする部分である。なお、プロファイルの種類に応じて、ＡＰＩに実装されるプロトコルスタックが異なる。
【００５０】
例えばシリアルポート・プロファイルの場合は、シリアルポート・エミュレーションと呼ばれるプロトコルスタックがＡＰＩに必要になる。ヘッドセット・プロファイルの場合は、ヘッドセット・コントロールと呼ばれるプロトコルスタックがＡＰＩに必要になる。ダイヤルアップ接続プロファイルやファクシミリ・プロファイルの場合は、ダイヤリング・アンド・コントロールと呼ばれるプロトコルスタックがＡＰＩに必要になる。
【００５１】
ＳＤＰ（Service Discovery Protocol）５０３は、アプリケーション・レイヤ５０１が通信相手先の装置のサービス情報を知るために使用するプロトコルである。ＲＦＣＯＭＭ５０４は、２つの機器のアプリケーション・レイヤを論理的に接続するために用いられるレイヤである。
【００５２】
ＬＭＰ（Link Management Protocol）５０５は、ベースバンド層５０７で定義される通信リンクの制御や管理を行うためのプロトコルである。Ｌ２ＣＡＰ（Logical Link Control & Adaptation Protocol）５０６は、論理チャネルの設定、パケットのセグメント化及び再構成、プロトコルの種類に応じてデータを振り分けたり多重したりする等の役割を果たすためのプロトコルである。
【００５３】
ベースバンド層５０７は、音声を一定周期のクロックに同期させて通信させるＳＣＯ（Synchronous Connection Oriented）という通信方式、または非音声データを非同期に通信させるＡＣＬ（Asynchronous Connectionless）という通信方式の通信リンクの提供、ＳＣＯパケットやＡＣＬパケットの組み立て・分解や誤り訂正等を行う部分である。ＲＦ部５０８は、2.4GHz帯の周波数を用いて周波数ホッピング型のスペクトラム拡散方式により電波の送受信を行う部分である。
【００５４】
図７は、デジタルカメラ１の背面側の構成を示す図である。
【００５５】
図７において、デジタルカメラ１は、筐体背面側に、液晶表示素子（以下ＬＣＤと表記）１０７ａと、ＬＣＤ１０７ａの近傍に配設され、上記スイッチ部１０６を構成する各種スイッチ１０６ａ、１０６ｂ、１０６ｃ、１０６ｄとを備えている。ＬＣＤ１０７ａは、バックライト駆動回路を有する。再生モードスイッチ１０６ａは、表示部１０７を構成するＬＣＤ１０７ａの表示を指示する際に操作する。スイッチ１０６ｂ、１０６ｃは、表示すべき撮影画像を選択する際に操作する。プリントスイッチ１０６ｄは、撮影画像を外部のプリンタに印刷させるプリント指示を行う際に操作する。
【００５６】
次に、上記図１乃至図４に示したデジタルカメラ１及びプリンタ３の各構成を詳細に説明する。
【００５７】
先ず、デジタルカメラ１側において、撮像部１０５は、所定位置に撮影レンズ（不図示）を介して入射する被写体光を受光し光電変換することで画像信号を生成するＣＣＤと、ＣＣＤドライバと、アナログ／デジタル（以下Ａ／Ｄと表記）変換回路を備えている。ＣＣＤは、ＣＰＵ１０１の制御の下でＣＣＤドライバにより駆動制御される。ＣＣＤの出力は、後段のＡ／Ｄ変換回路及びＲＡＭ部１０３を介してＣＰＵ１０１の入力に接続されている。また、表示部１０７には、表示用の画像メモリであるＶＲＡＭが配設されている。ＣＰＵ１０１の出力は、ＶＲＡＭを介してＬＣＤ１０７ａの入力に接続される。
【００５８】
無線通信部１１１は、プリンタ３側の無線通信部３１１と所定の無線データ伝送方式の無線通信を介して相互に接続され、デジタルカメラ及びプリンタ双方の無線通信を実現する。電源制御部１０８は、電源１０９の電圧をＣＰＵ１０１の制御の下で所定のタイミングをもって、表示部１０７、撮像部１０５、無線通信部１１１に供給する。なお、電源制御部１０８は、ＣＰＵ１０１の制御の下で、設定時間の経過後に自動的に電源をオフ状態（パワーオフ状態）に切り換えるオートパワーオフ機能を有している。
【００５９】
一方、プリンタ３側において、無線通信部３１１は、デジタルカメラ１側の無線通信部１１１と所定の無線データ伝送方式の無線通信を介して相互に接続され、プリンタ及びデジタルカメラ双方の無線通信を実現する。無線通信部３１１の出力は、ＣＰＵ３０１の入力に接続されている。ＣＰＵ３０１の出力は、プリントエンジン部３０５、ＲＡＭ部３０３等に接続されている。プリントエンジン部３０５は、用紙を搬送する紙搬送部、インクリボンを搬送するインクリボン搬送部、バッファメモリ、プリントヘッド、プリントヘッドを制御するヘッドコントローラ等を備えている。
【００６０】
上記構成において、先ず、デジタルカメラ１側の動作を説明する。撮像部１０５のＣＣＤにより被写体像が撮像された後、ＣＣＤから出力される画像信号（アナログ信号）がＡ／Ｄ変換回路に入力され、デジタル信号に変換された後、ＲＡＭ部１０３に一時的に記憶される。ＲＡＭ部１０３に記憶されたデータは、ＣＰＵ１０１により読み出され、ＣＰＵ内部の演算部によりホワイトバランス等の色変換やＪＰＥＧ（Joint Photographic Experts Group）画像圧縮といった各種処理が施される。各種処理が施された画像データは、画像メモリ部１１３に撮影コマ毎に順次記憶される。
【００６１】
この状態で、使用者によりスイッチ部１０６の再生モードスイッチ１０６ａが操作されると、操作情報がＣＰＵ１０１で認識され、且つＣＰＵ１０１の制御により画像メモリ部１１３の圧縮画像データが読み出される。更に、圧縮画像データがＬＣＤ１０７ａへの表示のために伸長された後、表示部１０７に出力され、表示用の画像メモリであるＶＲＡＭに画像データが書き込まれることで、ＬＣＤ１０７ａに表示画像として表示される。このとき、ＬＣＤ１０７ａのバックライト駆動回路に電源が供給される。
【００６２】
続いて、スイッチ部１０６のスイッチ１０６ｂ、１０６ｃが使用者によって操作されると、画像メモリ部１１３に記憶された画像データが適宜選択され、上記同様に表示部１０７のＬＣＤ１０７ａに表示画像として順次表示される。
【００６３】
次に、プリンタ３側の動作を説明する。ＣＰＵ３０１は、ダイレクトプリントを実行するために、デジタルカメラ１から無線通信部３１１を介して画像ファイルデータを受信し、画像ファイルデータを一旦ＲＡＭ部３０３に蓄積する。更に、ＣＰＵ３０１は、ＲＡＭ部３０３に蓄積された画像ファイルデータの伸長処理を行いつつ、ＲＡＭ部３０３の別の領域に先ず黄色（Ｙ）、マゼンタ（Ｍ）、シアン（Ｃ）の色毎のデータを順次、１画面分展開した後、プリントエンジン部３０５によりダイレクトプリント処理を行う。この時、ＣＰＵ３０１は、色毎のガンマ変換処理や輪郭強調処理等の処理も行う。
【００６４】
また、ＣＰＵ３０１は、プリントエンジン部３０５において紙搬送部を駆動して印刷する用紙を給紙し、印刷開始先頭位置に用紙を設定する。同時に、ＣＰＵ３０１は、ＲＡＭ部３０３に蓄積された印刷用画像データをバッファメモリに転送し、ヘッドコントローラによりプリントヘッドを制御して印刷を開始する。ここで、プリントヘッドは、用紙の１ライン分のデータを同時に印刷できるものであり、紙搬送部は、１ラインの印刷が終わる毎に用紙を１ライン分搬送する。
【００６５】
このように、ＣＰＵ３０１は、プリントエンジン部３０５において、紙搬送部による用紙の給紙と、バッファメモリへの印刷用画像データの転送とを同期させながら行い、所望の画像の印刷動作が終了すると、紙搬送部を駆動して用紙を排紙する。
【００６６】
なお、デジタルカメラ１からプリンタ３へデータが送出されている間の少なくとも一部の期間は、節電のために、表示部１０７のＬＣＤ１０７ａのバックライト駆動回路や、撮像時に動作する信号処理回路（例えばＣＣＤドライバや撮影レンズの駆動系或いはストロボ充電回路等）の駆動を停止する。
【００６７】
ここで、上記図１に示すようにプリンタ３のケーブル２が引き出されている状態の場合は、デジタルカメラ１とプリンタ３とが所定の無線データ伝送形式により無線通信可能状態となる。他方、プリンタ３にケーブル２が収納されている状態の場合は、デジタルカメラ１とプリンタ３とは無線通信不可状態となる。
【００６８】
デジタルカメラ及びプリンタ間の無線通信時には、デジタルカメラ１から接続確認信号をプリンタ３に対して送信することで、プリンタ３側でプリンタ３がデジタルカメラ１に接続されたことを認識し、応答信号をデジタルカメラ１側に返送する。使用者がデジタルカメラ１側で印刷を希望する画像を表示部１０７のＬＣＤ１０７ａに再生画像として表示した状態で、プリントスイッチ１０６ｄを操作すると、プリンタ３で印刷動作が開始される。
【００６９】
次に、デジタルカメラ１のプリントスイッチ１０６ｄが操作されてからのデジタルカメラ１のＣＰＵ１０１とプリンタ３のＣＰＵ３０１の動作を図８乃至図１１のフローチャートを参照しながら説明する。
【００７０】
図８及び図９は、デジタルカメラ側のダイレクトプリント指示処理を示すフローチャートであり、図１０及び図１１は、プリンタ側のダイレクトプリント処理を示すフローチャートである。
【００７１】
先ず、デジタルカメラ側のダイレクトプリント指示処理を説明する。
【００７２】
図８及び図９において、使用者によりプリントスイッチ１０６ｄが押下されると（ステップＳ７０１）、ＣＰＵ１０１は、無線通信部１１１を介して接続確認信号をプリンタ３に送信し（ステップＳ７０２）、プリンタ３からの応答信号を受信したか否かを確認する（ステップＳ７０３）。即ち、ＣＰＵ１０１は、プリンタ３が無線通信を介してデジタルカメラ１に接続されているか否かの確認を行う。プリンタ３から応答信号が得られない場合は、接続が確認できないので、ステップＳ７１７のエラー処理（以下Ｎ．Ｇ．処理と表記）に移行する。プリンタ３から応答信号が得られた場合は、接続が確認できたので、次のステップＳ７０４に進む。
【００７３】
ＣＰＵ１０１は、プリンタ３からの応答信号受信に伴い、無線通信部１１１を介してプリンタステータス要求信号をプリンタ３に送信し（ステップＳ７０４）、プリンタ３からプリンタステータス信号を受信したか否かを確認する（ステップＳ７０５）。ＣＰＵ１０１は、無線通信部１１１を介してプリンタ３からプリンタステータス信号を受信すると、プリンタステータス信号を解析し（ステップＳ７０６）、プリンタ３がプリント可能な状態にあるか否かを判断する（ステップＳ７０７）。プリンタ３がプリント可能な状態にある場合は、次のステップＳ７０８に進む。プリンタ３がプリント不可能な状態にある場合は、ステップＳ７１７のＮ．Ｇ．処理に移行する。
【００７４】
プリント不可能な状態とは、例えば、プリントエンジン部３０５でプリントが実行中である場合や、用紙収納部に用紙がセットされていない場合や、インクリボンがセットされていない場合である。また、プリントエンジン部３０５でジャムなどの不具合が生じている或いは故障している状態や、画像処理機能が故障している状態や、ＲＡＭ部３０３が故障している或いは十分な記憶領域が確保できない状態などである。
【００７５】
上記ステップＳ７０３或いはステップＳ７０７においてＮ．Ｇ．処理に移行した場合は、ＣＰＵ１０１は、それぞれの状況に応じた状態（例えば接続エラーやプリンタエラーなどのメッセージ）を表示部１０７に表示し、使用者に報知する。更に、ＣＰＵ１０１は、ケーブル２に内蔵されているＬＥＤ４ａ、４ｂ、４ｃを例えば一斉に点滅させることで、プリンタ３から離れた場所からもエラーがあったことを確認できるようにする（ステップＳ７１７）。
【００７６】
ＣＰＵ１０１は、プリンタ３がプリント可能状態であることに伴い、無線通信部１１１を介してデータ送信開始信号をプリンタ３に送信し（ステップＳ７０８）、プリンタ３からのデータ受信ＯＫ信号を待つ（ステップＳ７０９）。ＣＰＵ１０１は、無線通信部１１１を介してプリンタ３からデータ受信ＯＫ信号を受信すると、電源制御部１０８のオートパワーオフ機能を無効となるように設定し（ステップＳ７１０）、無線通信部１１１を介してプリンタ３に画像ファイルデータの送信を開始する（ステップ７１１）。
【００７７】
ＣＰＵ１０１は、必要なデータ量の画像ファイルデータの送信を終了すると（ステップＳ７１２でＹＥＳ）、電源制御部１０８のオートパワーオフ機能無効の設定を解除し、オートパワーオフ機能を有効に設定する（ステップＳ７１３）。更に、ＣＰＵ１０１は、無線通信部１１１を介してデータ送信終了信号をプリンタ３に送信し（ステップＳ７１４）、プリンタ３からデータ受信完了信号を待つ（ステップＳ７１５）。ＣＰＵ１０１は、無線通信部１１１を介してプリンタ３からデータ受信完了信号を受信すると、デジタルカメラ１の状態をプリントスイッチ１０６ｄが押下される以前の開始状態にリセットする（ステップＳ７１６）。
【００７８】
次に、プリンタ側のダイレクトプリント処理を説明する。
【００７９】
図１０及び図１１において、ＣＰＵ３０１は、プリンタ３のパワーオンの状態で、ケーブル部３１３の検出スイッチ３１４の状態をモニタしている。使用者がプリンタ及びデジタルカメラ間で無線通信を行うべくケーブル部３１３からケーブル２を引き出した場合には、検出スイッチ３１４がオンとなりケーブル引き出し信号（オン信号）を出力する。これに伴い、ＣＰＵ３０１は、検出スイッチ３１４からケーブル引き出し信号を受信し（ステップＳ８００）、無線通信部３１１を介してデジタルカメラ１と無線通信可能な状態となる。
【００８０】
ＣＰＵ３０１は、無線通信可能な状態になると、無線通信部３１１への入力信号をモニタし、入力信号に応じて無線通信部３１１へ応答信号を出力し、プリンタ３の動作を制御する。ＣＰＵ３０１は、無線通信部３１１を介してデジタルカメラ１から接続確認信号を受信すると（ステップＳ８０１でＹＥＳ）、プリンタ３が無線通信によりデジタルカメラ１に接続していることをデジタルカメラ１に伝える応答信号を、無線通信部３１１を介してデジタルカメラ１に送信する（ステップＳ８０２）。
【００８１】
次に、ＣＰＵ３０１は、無線通信部３１１を介してデジタルカメラ１からプリンタステータス要求信号を受信すると（ステップＳ８０３でＹＥＳ）、プリンタ３内部のチェックを行う（ステップＳ８０４）。ＣＰＵ３０１は、無線通信部３１１を介してチェックの結果をプリンタステータス信号としてデジタルカメラ１に送信する（ステップＳ８０５）。プリンタ３内部に異常がある場合は（ステップＳ８０６でＹＥＳ）、ステップＳ８２２のＮ．Ｇ．処理に移行する。
【００８２】
異常な状態とは、例えば、プリンタ３の用紙収納部に用紙がセットされていない場合や、インクリボンがセットされていない場合である。また、プリントエンジン部３０５でジャムなどの不具合が生じている或いは故障している状態や、画像処理機能が故障している状態や、ＲＡＭ部３０３が故障している或いは十分な記憶領域が確保できない状態などである。
【００８３】
上記ステップＳ８０６においてＮ．Ｇ．処理に移行した場合は、ＣＰＵ１０１は、状況に応じた状態を表示部１０７に表示し、使用者に報知する。更に、ＣＰＵ１０１は、ケーブル２に内蔵されているＬＥＤ４ａ、４ｂ、４ｃを例えば一斉に点滅させることで、プリンタ３から離れた場所からもエラーがあったことを確認できるようにする（ステップＳ８２２）。
【００８４】
ＣＰＵ３０１は、無線通信部３１１を介してデジタルカメラ１からデータ送信開始信号を受信すると（ステップＳ８０７でＹＥＳ）、デジタルカメラ１からの画像ファイルデータの受信準備動作を実行する（ステップＳ８０８）。次に、ＣＰＵ３０１は、無線通信部３１１を介して画像ファイルデータ受信ＯＫ信号をデジタルカメラ１に送信する（ステップＳ８０９）。次に、ＣＰＵ３０１は、無線通信部３１１を介してデジタルカメラ１から画像ファイルデータを受信する動作を実行する（ステップＳ８１０）。
【００８５】
ＣＰＵ３０１は、無線通信部３１１を介してデジタルカメラ１から画像ファイルデータ送信終了信号を受信すると（ステップＳ８１１でＹＥＳ）、画像ファイルデータ受信動作を終了し（ステップＳ８１２）、無線通信部３１１を介して画像ファイルデータ受信完了信号をデジタルカメラ１に送信する（ステップＳ８１３）。
【００８６】
この場合、デジタルカメラ１からプリンタ３に送信する画像ファイルデータには、デジタルカメラ１での撮影条件（例えばシャッタスピードや露出時間等）を示すデータを含ませてもよい。なお、本実施の形態では、画像ファイルデータとしてＪＰＥＧ方式で圧縮された画像ファイルデータを例に挙げるものとするが、これに限定されるものではない。
【００８７】
次に、ＣＰＵ３０１は、ＪＰＥＧ方式で圧縮された画像ファイルデータに対し圧縮時と逆に伸長する画像処理を施し、元の画像ファイルデータに伸長展開する（ステップＳ８１４）。次に、ＣＰＵ３０１は、画像ファイルデータに含まれている撮影条件を示すデータに基づき、適応する画像データ補正テーブルをＲＯＭ部３０２から読み出して設定する（ステップＳ８１５）。この画像データ補正テーブルは、プリンタ３に設定された色変換テーブルと組み合わされて、印刷用の色毎に画像データを変換して印刷データとするためのものである。
【００８８】
次に、ＣＰＵ３０１は、印刷用インクリボンの色に適合させて、まず、１色目を印刷するために、イエロー（以下“Ｙ”と表記）の色データをＲＡＭ部３０３に展開する（ステップＳ８１６）。ＣＰＵ３０１は、展開された色データを順次１ライン毎にプリントエンジン部３０５のヘッドコントローラに出力し、プリントヘッドを介して１画面分のＹの印刷を行う（ステップＳ８１７）。
【００８９】
次いで、ＣＰＵ３０１は、印刷用の他の色、マゼンタ（以下“Ｍ”と表記）について、ステップＳ８１８及びステップＳ８１９で同様に１画面分印刷を行い、シアン（以下“Ｃ”と表記）について、ステップＳ８２０及びステップＳ８２１で同様に１画面分印刷を行う。これにより、１画面全てのフルカラー印刷が終了する。
【００９０】
上述したように、デジタルカメラ１がプリンタ３との間でデータ通信を実行中の場合は、デジタルカメラ１のオートパワーオフ機能を無効となるように設定し、データ通信が終了した場合は、デジタルカメラ１のオートパワーオフ機能を有効となるように設定する。これにより、デジタルカメラ及びプリンタ間のデータ通信実行中に、デジタルカメラ１のオートパワーオフ機能が働いて電源オフになることを防止することができる。また、データ通信が終了すれば、元のオートパワーオフ機能を働かせることができる。
【００９１】
次に、プリンタ３に装備されたケーブル２に関わる動作について説明する。
【００９２】
図１２は、プリンタ３からケーブル２を引き出している状態を示す図であり、図１３は、プリンタ３からケーブル２を引き出した状態を示す図である。また、図１４は、デジタルカメラ１からプリンタ３へ無線データ通信が行われている状態を示す図であり、図１５は、プリンタ３からデジタルカメラ１へ無線データ通信が行われている状態を示す図である。
【００９３】
図１２乃至図１５において、図１２に示すように、使用者はプリンタ３のケーブル部３１３に巻き取られて収納されているケーブル２を引き出す。図１３に示すように、プリンタ３からケーブル２が引き出されると、プリンタ３はデジタルカメラ１と無線通信可能な状態へ遷移する。
【００９４】
図１４に示すように、プリンタ３がデジタルカメラ１から無線通信の信号を受信すると、プリンタ３のＣＰＵ３０１は、ケーブル２に内蔵されている３つのＬＥＤ４ａ、４ｂ、４ｃを、例えば、それぞれ４ａ→４ｂ→４ｃの順番に１秒間ずつ緑色に点灯させる。これにより、ケーブル２は、あたかもデジタルカメラ１から送信される無線信号がプリンタ３内部に吸い込まれるように見えるため、プリンタ３が無線信号を受信していることが感覚的に分かるようになっている。
【００９５】
他方、図１５に示すように、プリンタ３からデジタルカメラ１に無線通信で信号を送信する場合には、プリンタ３のＣＰＵ３０１は、ケーブル２に内蔵されている３つのＬＥＤ４ａ、４ｂ、４ｃを、例えば、それぞれ４ｃ→４ｂ→４ａの順番に１秒間ずつ点灯させる。これにより、ケーブル２は、あたかもプリンタ３から送信される無線信号がプリンタ３からデジタルカメラ１へ出て行くように見えるため、プリンタ３が無線信号を送信していることが感覚的に分かるようになっている。
【００９６】
また、デジタルカメラ１やプリンタ３に下記のような各種の不具合（所定の状況）が発生した場合は、プリンタ３のＣＰＵ３０１は、ケーブル２のＬＥＤ４ａ、４ｂ、４ｃを例えば同時に赤色を点滅させることで、離れた場所にいる使用者へ報知するようになっている。各種の不具合とは、デジタルカメラ１とプリンタ３が何らかの理由で無線通信ができなくなった場合、プリンタ３の印刷時に不具合が発生した場合、プリンタ３でインク切れや用紙切れが発生した場合、デジタルカメラ１から何らかの不具合が発生したことをプリンタ３に通信してきた場合などである。
【００９７】
以上説明したように、本実施の形態によれば、プリンタ３がデジタルカメラ１との無線通信時には、ケーブル２のＬＥＤ４ａ、４ｂ、４ｃを点灯させるため、無線通信が行われていることをプリンタ３から離れた場所からでも視認可能であり、使用者にとって安心感が生ずるという効果がある。
【００９８】
また、ケーブル２がプリンタ３から引き出された場合は無線通信可能状態に設定し、ケーブル２がプリンタ３に収納された場合は無線通信不可状態に設定するため、難しい設定が一切無く、有線通信の感覚を持って無線通信の接続を行うことができ、利便性に優れるという効果がある。
【００９９】
また、プリンタ３がデジタルカメラ１からのデータ受信時は、ケーブル先端側のＬＥＤからケーブル基端側（プリンタ側）のＬＥＤに向けて順番に点灯させ、プリンタ３からデジタルカメラ１へのデータ送信時は、ケーブル基端側のＬＥＤからケーブル先端側のＬＥＤに向けて順番に点灯させるため、無線通信が行われていることをプリンタ３から離れた場所からでも視認可能であり、使用者にとって安心感が大きくなるという効果がある。
【０１００】
また、プリンタ及びデジタルカメラ間の無線通信に関わる不具合や、プリンタ及びデジタルカメラそれぞれに関わる不具合等が発生した場合は、各ＬＥＤを一斉に発光させるため、プリンタ３から離れた場所からでも不具合の発生を簡単に視認できるという効果がある。
【０１０１】
また、デジタルカメラ１がプリンタ３と無線通信中の場合はオートパワーオフ機能を無効に設定し、デジタルカメラ１がプリンタ３と無線通信が終了した場合はオートパワーオフ機能を有効に設定するため、無線通信中にオートパワーオフ機能が作動してデジタルカメラ１の電源が切断されることを防止することができる。
【０１０２】
［第２の実施の形態］
本発明の第２の実施の形態は、上述した第１の実施の形態に対して、デジタルカメラがデータ保存装置との間で無線通信を行う点において相違する。本実施の形態のその他の要素は、上述した第１の実施の形態（図２、図３、図６、図７）の対応するものと同一なので、説明を省略する。
【０１０３】
図１６は、本実施の形態に係るデータ処理装置としてのデータ保存装置の構成を示すブロック図である。
【０１０４】
図１６において、データ保存装置５は、ＣＰＵ３０１、ＲＯＭ部３０２、ＲＡＭ部３０３、タイマ３０４、データ保存エンジン部５０１、スイッチ部３０６、表示部３０７、電源制御部３０８、電源３０９、ＤＭＡＣ３１０、無線通信部３１１、内部バス３１２、ケーブル部３１３を備えている。
【０１０５】
データ保存装置５は、上記第１の実施の形態のプリンタ３のプリントエンジン部３０５をデータ保存エンジン部５０１に置き換えたものである。データ保存エンジン部５０１は、具体的にはＤＶＤレコーダやハードディスク等の大容量の記憶装置として搭載されるものであり、デジタルカメラ１から送信された画像ファイルデータを直接書き込むように構成されている。
【０１０６】
上記第１の実施の形態では、デジタルカメラ１で画像ファイルデータをプリント信号に変換することで、デジタルカメラ及びプリンタ間でプリント信号を送受信した。これに対し、本実施の形態では、デジタルカメラ内部に保存している画像ファイルデータをそのままのファイル形式でデジタルカメラ及びデータ保存装置間で送受信する。更に、データ保存装置５のＣＰＵ３０１が、画像ファイルデータを複製してデータ保存エンジン部５０１に保存して行くように制御を行う。
【０１０７】
ケーブル部３１３は、通常時（非無線通信時）はケーブル５０３をケーブル部３１３の内部に倒した状態で収納し、無線通信時にはデータ保存装置５の筐体上面部に対し垂直にケーブル２を引き起こすことができるように構成されている。ケーブル部３１３は、ケーブル５０３が引き起こされたことを検出する検出スイッチ５０２を備えている。
【０１０８】
ケーブル５０３をケーブル部３１３から引き起こす動作で、無線通信のスイッチ機能を働かせる。これにより、上記第１の実施の形態のようなケーブルをケーブル部から引き出すのと等価な動作が可能となる。具体的には、使用者によりケーブル部３１３からケーブル５０３が引き起こされると、ＣＰＵ３０１は、検出スイッチ５０２から出力されるオン信号に基づき無線通信を可能に設定する。
【０１０９】
即ち、ケーブル５０３は、データ保存装置５とデジタルカメラ１との間を無線通信可能状態とする設定と、データ保存装置５とデジタルカメラ１との間を無線通信不可状態（無線通信可能状態を解除した状態）とする設定とを切り替える、無線通信のスイッチ機能を有するものである。
【０１１０】
図１７は、データ保存装置５のケーブル５０３を引き起こした状態を示す斜視図である。
【０１１１】
図１７において、ケーブル５０３は、硬質材料からなる中空のアンテナ形状を有し、中空のケーブル材料内部に発光体としてＬＥＤ５０３ａ、５０３ｂ、５０３ｃを備えている。ＬＥＤ５０３ａ、５０３ｂ、５０３ｃは、ケーブル５０３の長手方向の先端側から基端側（データ保存装置側）に所定間隔をおいて配設されている。ＬＥＤ５０３ａ、５０３ｂ、５０３ｃは、それぞれ、例えば緑と赤の２色ＬＥＤとして構成されており、データ保存装置５のＣＰＵ３０１により個別に点灯（点滅）／消灯が制御される。
【０１１２】
データ保存装置５がデジタルカメラ１からデータを受信する場合は、ＣＰＵ３０１は、ケーブル５０３のＬＥＤ５０３ａ、５０３ｂ、５０３ｃを、例えば、それぞれ５０３ａ→５０３ｂ→５０３ｃの順番に１秒間ずつ緑色に点灯させる。これにより、ケーブル５０３は、あたかもデジタルカメラ１から送信されるデータがデータ保存装置５内部に吸い込まれるように見えるため、データ保存装置５がデータを受信していることが感覚的に明確となる。
【０１１３】
他方、データ保存装置５がデジタルカメラ１にデータを送信する場合は、ＣＰＵ３０１は、ケーブル５０３のＬＥＤ５０３ａ、５０３ｂ、５０３ｃを、例えば、それぞれ５０３ｃ→５０３ｂ→５０３ａの順番に点灯させる。これにより、ケーブル５０３は、あたかもデータ保存装置５からデジタルカメラ１に送信されるデータがデータ保存装置５から出て行くように見えるため、データ保存装置５がデータを送信していることが感覚的に明確となる。
【０１１４】
上述したケーブル５０３のＬＥＤ点灯制御により、遠くからでもデータ保存装置５０１がデータ送信またはデータ受信をしている様子を容易に視認することが可能であり、無線通信においても不安感無くデータ保存装置５を取り扱うことができる。
【０１１５】
また、上記第１の実施の形態と同様に、デジタルカメラ１やデータ保存装置５に下記のような各種の不具合が発生した場合は、データ保存装置５のＣＰＵ３０１が、ケーブル５０３のＬＥＤ５０３ａ、５０３ｂ、５０３ｃを例えば同時に赤色を点滅させることで、離れた場所にいる使用者へ報知するようにしてもよい。各種の不具合とは、デジタルカメラ１とデータ保存装置５が何らかの理由で無線通信ができなくなった場合、データ保存装置５に不具合が発生した場合、デジタルカメラ１から何らかの不具合が発生したことをデータ保存装置５に通信してきた場合などである。
【０１１６】
以上説明したように、本実施の形態によれば、データ保存装置５がデジタルカメラ１との無線通信時には、ケーブル５０３のＬＥＤ５０３ａ、５０３ｂ、５０３ｃを点灯させるため、無線通信が行われていることをデータ保存装置５から離れた場所からでも視認可能であり、使用者にとって安心感が生ずるという効果がある。
【０１１７】
また、ケーブル５０３がデータ保存装置５から引き出された場合は無線通信可能状態に設定し、ケーブル５０３がデータ保存装置５に収納された場合は無線通信不可状態に設定するため、難しい設定が一切無く、有線通信の感覚を持って無線通信の接続を行うことができ、利便性に優れるという効果がある。
【０１１８】
また、データ保存装置５がデジタルカメラ１からのデータ受信時は、ケーブル先端側のＬＥＤからケーブル基端側（プリンタ側）のＬＥＤに向けて順番に点灯させ、データ保存装置５からデジタルカメラ１へのデータ送信時は、ケーブル基端側のＬＥＤからケーブル先端側のＬＥＤに向けて順番に点灯させるため、無線通信が行われていることをデータ保存装置５から離れた場所からでも視認可能であり、使用者にとって安心感が大きくなるという効果がある。
【０１１９】
また、データ保存装置及びデジタルカメラ間の無線通信に関わる不具合や、データ保存装置及びデジタルカメラそれぞれに関わる不具合等が発生した場合は、各ＬＥＤを一斉に発光させるため、データ保存装置５から離れた場所からでも不具合の発生を簡単に視認できるという効果がある。
【０１２０】
［他の実施の形態］
上記第１の実施の形態では、ケーブル２に３つのＬＥＤ４ａ、４ｂ、４ｃを配設し、それぞれ緑と赤の２色ＬＥＤで構成した場合を例に挙げたが、本発明は、これに限定されるものではない。ケーブル２に配設するＬＥＤの個数及び色の組み合わせは任意とすることが可能である。
【０１２１】
上記第１の実施の形態では、プリンタ３における無線信号受信時に、ＬＥＤを４ａ→４ｂ→４ｃの順番に１秒間ずつ緑色に点灯させ、無線信号送信時に、ＬＥＤを４ｃ→４ｂ→４ａの順番に１秒間ずつ点灯させたが、本発明は、これに限定されるものではない。ＬＥＤの点灯時間や点灯色は任意とすることが可能である。
【０１２２】
上記第２の実施の形態では、ケーブル５０３に３つのＬＥＤ５０３ａ、５０３ｂ、５０３ｃを配設し、それぞれ緑と赤の２色ＬＥＤで構成した場合を例に挙げたが、本発明は、これに限定されるものではない。ケーブル５０３に配設するＬＥＤの個数及び色の組み合わせは任意とすることが可能である。
【０１２３】
上記第２の実施の形態では、データ保存装置５０１におけるデータ受信時に、ＬＥＤを５０３ａ→５０３ｂ→５０３ｃの順番に１秒間ずつ緑色に点灯させ、データ送信時に、ＬＥＤを５０３ｃ→５０３ｂ→５０３ａの順番に点灯させたが、本発明は、これに限定されるものではない。ＬＥＤの点灯時間や点灯色は任意とすることが可能である。
【０１２４】
また、本発明の目的は、実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【０１２５】
この場合、記憶媒体から読み出されたプログラムコード自体が前述した実施の形態の機能を実現することになり、そのプログラムコード及び該プログラムコードを記憶した記憶媒体は本発明を構成することになる。
【０１２６】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードをネットワークを介してダウンロードしてもよい。
【０１２７】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【０１２８】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【０１２９】
また、コンピュータが読み出したプログラムコードを実行することにより、前述した各実施の形態の機能が実現されるだけでなく、そのプログラムコードの指示に基づき、コンピュータ上で稼働しているＯＳなどが実際の処理の一部または全部を行い、その処理によって前述した各実施の形態の機能が実現される場合も、本発明に含まれることは言うまでもない。
【０１３０】
この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【０１３１】
上記実施の形態では、プリンタの印刷方式を昇華型熱転写方式とした場合を例に挙げたが、本発明は、昇華型熱転写方式に限定されるものではなく、電子写真方式、インクジェット方式、感熱方式、静電方式、放電破壊方式など各種印刷方式に適用することができる。
【０１３２】
上記プログラムの形態は、オブジェクトコード、インタプリタにより実行されるプログラムコード、ＯＳ（オペレーティングシステム）に供給されるスクリプトデータ等の形態から成ってもよい。
【図面の簡単な説明】
【０１３３】
【図１】本発明の第１の実施の形態に係る撮像装置としてのデジタルカメラとデータ処理装置としてのプリンタとの間で無線通信を行っている状態を示す概略図である。
【図２】デジタルカメラの構成を示すブロック図である。
【図３】デジタルカメラの無線通信部の構成を示すブロック図である。
【図４】プリンタの構成を示すブロック図である。
【図５】デジタルカメラ及びプリンタから構成される無線通信システムとしてのプリントシステムを示す概略図である。
【図６】デジタルカメラ及びプリンタに適用されるデータ処理の階層構造例を示す図である。
【図７】デジタルカメラの背面側の構成を示す図である。
【図８】デジタルカメラ側のダイレクトプリント指示処理を示すフローチャートである。
【図９】図８のフローチャートの続きである。
【図１０】プリンタ側のダイレクトプリント処理を示すフローチャートである。
【図１１】図１０のフローチャートの続きである。
【図１２】プリンタからケーブルを引き出している状態を示す図である。
【図１３】プリンタからケーブルを引き出した状態を示す図である。
【図１４】デジタルカメラからプリンタへ無線データ通信が行われている状態を示す図である。
【図１５】プリンタからデジタルカメラへ無線データ通信が行われている状態を示す図である。
【図１６】本発明の第２の実施の形態に係るデータ処理装置としてのデータ保存装置の構成を示すブロック図である。
【図１７】データ保存装置のケーブルを引き起こした状態を示す斜視図である。
【符号の説明】
【０１３４】
１  デジタルカメラ（撮像装置）
２  ケーブル（切替手段）
３  プリンタ（データ処理装置、印刷装置）
４ａ、４ｂ、４ｃ  ＬＥＤ（発光手段）
５  データ保存装置（データ処理装置）
１０１  ＣＰＵ（設定手段）
１１１  無線通信部（無線通信手段）
１０８  電源制御部（電源制御手段）
３０１  ＣＰＵ（制御手段）
３１１  無線通信部（無線通信手段）
３１３  ケーブル部
３１４  検出スイッチ（検出手段）
５０１  データ保存エンジン部
５０２  検出スイッチ（検出手段）
５０３  ケーブル（切替手段）
５０３ａ、５０３ｂ、５０３ｃ  ＬＥＤ（発光手段）
【図１】
2006236076.tif 000003
【図２】
2006236076.tif 000004
【図３】
2006236076.tif 000005
【図４】
2006236076.tif 000006
【図５】
2006236076.tif 000007
【図６】
2006236076.tif 000008
【図７】
2006236076.tif 000009
【図８】
2006236076.tif 000010
【図９】
2006236076.tif 000011
【図１０】
2006236076.tif 000012
【図１１】
2006236076.tif 000013
【図１２】
2006236076.tif 000014
【図１３】
2006236076.tif 000015
【図１４】
2006236076.tif 000016
【図１５】
2006236076.tif 000017
【図１６】
2006236076.tif 000018
【図１７】
2006236076.tif 000019